Podtech/llm-jp-corpus-v4-ja_patent huggingface dataset:
(57)【要約】      （修正有）【課題】入浴用温泉水着で入浴時に乳房、下腹部を覆い隠すことができるようにする。【解決手段】長い長方形ないし台形の水着地の両端をプレスファスナーやホック、ファスナー等で女性は胸部、腰部に、男性は腰部に巻きつけるように装着し、乳房、下腹部を覆い隠すことで、他人の視線を気にせず入浴できるようにする。脱着も簡単である。又、体格により、Ｓ，Ｍ，Ｌ，ＬＬを揃え子供から大人まで使用できるようにする。【選択図】図３
0003111181.tif 000002
【実用新案登録請求の範囲】
【請求項１】
長方形ないし台形状の水着生地や布地の両端をプレスファスナーや、ホックで留めるようにし、胸部、腰部に巻いて着用し、乳房や下腹部を被い隠す目的に使用する温泉入浴用水着。
【考案の詳細な説明】
【考案の詳細な説明】
【０００１】［考案が解決しようとする課題］
従来、多人数人れる露天風呂や浴場では羞恥心により乳房や下腹部を手とタオルで被い隠すが、浴槽に入る時はタオルは使えない為、手で隠すなどぎこちなくなり、入りずらい面がある。
【０００２】［課題を解決するための手段］
この入浴用温泉水着を体を洗う時ははずし、洗い終わって装着する事により手で隠す必要がなく、自然に堂々と浴槽に入る事が出来る。
【０００３】［考案の効果］
この水着を胸部、腰部に使用すれば他人の視線を気にする事なく入浴出来、又風紀上も好ましく、男湯のグロテスクな眺めもなくなる。
乳癌の手術をした女性の友の会が全国にあるが、彼女達の他人の目を気にせず温泉にゆっくり入りたいという願望がかなえられる。
又色々なデザインを使用すれば、浴場や露天風呂がハワイやタヒチ等のリゾ−ト海水浴場のように華やかなムードとなり、温泉ブームの今、各地の温泉地の名称を入れる事等で温泉地や旅館、ホテル等の宣伝にも利用出来、温泉地の活性化にも役立つ。
【図面の簡単な説明】［図１］
入浴用温泉水着の正面図
［図２］
入浴用温泉水着の斜視図
［図３］
入浴用温泉水着を着用した女性、男性の図
【符号の説明】
１．  水着地あるいは布地等
２．  プレスファスナーやホック、ファスナー等
【図１】
0003111181.tif 000003
【図２】
0003111181.tif 000004
【図３】
0003111181.tif 000005
(57)【要約】【課題】本考案のかばん又は携帯用袋等の底面に接触磁気カードとじ込みをつくり接触磁気カードを簡単かつ容易に改札口に接触し作動させて通過できるようにする。【解決手段】本考案はかばん本体の底部３に接触磁気カードとじ込み部４をつくり接触磁気カードを入れる。そのことによってかばん又は携帯用袋等が定期パス入れの役割を果し改札口の機器に接触してゲートを開放させ通過できるようにした。【選択図】図１
0003111184.tif 000002
【実用新案登録請求の範囲】
【請求項１】
かばん又は携帯用袋等の低面にとじ込みをつくり、接触磁気カードを入れるようにしたもので改札口をかばん又は携帯用袋等の底面を改札口機器に接触させ通過できることを特徴としたかばん又は携帯用袋。
【考案の詳細な説明】
【技術分野】
【０００１】本考案は、かばん又は携帯用袋の底面に接触磁気カードのとじ込みをつくったものである。
【背景技術】
【０００２】ＪＲ、私鉄等改札口を通過する時、かばん又は携帯用袋等から接触磁気カードを取り出して改札口機器に接触させて通過しなければならない。
【考案の開示】
【考案が解決しようとする課題】
【０００３】接触磁気カードをかばん又は携帯用袋等に入れていると改札口を通過する都度取り出さねばならない、又衣服のポケットに入れていても改札口が混雑していると不便であり従ってかばん又は携帯用袋等を持ちながら簡単かつ容易に接触磁気カードで改札口を通過できれば便利であると考えたもので、前述の欠点を解決しようとするものである。
【課題を解決するための手段】
【０００４】本考案は、かばん又は携帯用袋等の底面にとじ込みをつくり接触磁気カードを入れ改札口の機器に接触させて通過できるように考えたものである。
【考案の効果】
【０００５】上述の様に、本考案の接触磁気カードとじ込みつきかばん又は携帯用袋はとじ込みをかばん又は携帯用袋等の底面につくることにより接触磁気カードを改札口通過の都度取り出したり、混雑すする時にポケット等から取り出さなくてもかばん又は携帯用袋等の底面とじ込み部分を改札口機器に接触させることで簡単かつ容易に改札口を通過できるものである。
【考案の実施するための最良の形態】
【０００６】かばん又は携帯用袋等の底面に接触磁気カードとじ込み、いわゆる定期パス入れをつくる。出し入れはかばん又は携帯用袋等の内側から行なえるようにし又接触磁気カードとじ込み部表面は磁気が通ずる物であればセルロイド、ビニル等透明もしくは半透明の色つき等自在となる。
【実施例】
【０００７】以下、添付図面かばん又は携帯用袋のかばんに従って一実施例を説明する。１はかばんの本体、２はかばん本体の出し入れ口、３はかばん本体の底面部、４は接触磁気カードとじ込み部、とじ込み部の使用は５の接触磁気カード固定及び保護用ゴム帯板と６の磁気の通ずる、セルロイド、ビニル等の外カバーの間にとじ込む。
【図面の簡単な説明】
【０００８】
【図１】本考案の接触磁気カードとじ込みつきかばん又は携帯用袋等のかばんの実施例を示す簡略な図である。
【図２】かばん本体の底面を外からみた図である。
【符合の説明】
【０００９】１  かばん本体
２  かばん本体の出し入れ口
３  かばん本体の底面部
４  接触磁気カードとじ込み部
５  接触磁気カードとじ込み固定及び保護用ゴム帯板
６  磁気の通ずるセルロイド、ビニル等のカバー
７  ストラップ
【図１】
0003111184.tif 000003
【図２】
0003111184.tif 000004
(57)【要約】      （修正有）【課題】死角のないバックミラーを提供する。【解決手段】バックミラーの鏡面を２段３段に折って死角とよばれる所に視野がとどくようにしたバックミラー。【選択図】図２
0003111174.tif 000002
【実用新案登録請求の範囲】
【請求項１】
バックミラーの死角をいかに見えるようにするかの課題に、バックミラーの鏡面を２段階、３段階に折って、死角をどこまでも視野がきくようにしたバックミラー。
【考案の詳細な説明】
【０００１】バックミラーのこと。
【背景技術】
【０００２】バックミラーは以前から平らなものであり、最近鏡面をカーブさせることによって死角のないバックミラーがある。
【考案の開示】
【考案が解決しようとする課題】
【０００３】バックミラーの死角とよばれるところを見えるようにするには他にどのようにしたバックミラーなら可能なのかであります。
【課題を解決するための手段】
【０００４】図１の５の鏡面をまるくカーブさせた死角のないバックミラーであるが図２の４は２段、３段に折れた鏡面によって広い範囲のバックミラーの死角を視野がきくようにした
【産業上の利用可能性】
【０００５】バックミラーが死角のないバックミラになり、実願２００４−０００８８８の死角のないバックミラーとは違った現代感覚のある死角のないバックミラーとなる。
【図面の簡単な説明】
【０００６】図１  実願２００４−０００８８８死角のないバックミラーの図
図２  死角のないバックミラー２の図
【付号の説明】
１、車体
２、車にのっている人の頭
３、人の視野
４、２段階、３段階に折れた鏡面を持つ死角のないバックミラー２。
５、実願２００４−０００８８８の死角のないバックミラー。
【図１】
0003111174.tif 000003
【図２】
0003111174.tif 000004
(57)【要約】【課題】装飾性を高めると共に、芳香機能により良好な雰囲気を醸し出して商品価値の高いネックレスを提供する【解決手段】多数の真珠または真珠状物１０を一連に連結したネックレス本体１の両端部を飾具２を介して接続することにより環状に構成し、かつ、飾具２を、香剤３の収納が可能であって、真珠貝を模した形状の容器から構成する【選択図】図１
0003111172.tif 000002
【実用新案登録請求の範囲】
【請求項１】
多数の真珠または真珠状物を一連に連結して成るネックレス本体の両端部を、飾具を介して接続することにより、環状に構成し、かつ前記飾具が、香剤の収納が可能であって、真珠貝を模した形状の容器から成ることを特徴とするネックレス
【請求項２】
香剤が、芳香剤の小片またはガーゼ若しくは脱脂綿などの小片に香水を含滲させて成る請求項１記載のネックレス
【考案の詳細な説明】
【考案の詳細な説明】
【技術分野】
【０００１】本考案は、装身用のネックレスに関する。
【背景技術】
【０００２】従来、多数の真珠または真珠状物を一連に連結し、その両端部を着脱可能な接続金具により接続して環状に構成したネックレス、或いは、その両端接続部に飾具を接続して成るネックレスは公知であり、また真珠貝を模した形状の装身具も公知である。【０００３】
【非特許文献１】株式会社ジュエリージャーナル発行の内国雑誌「宝石の四季」（１９９３年６月１日発行）第１０９巻第１２頁，第１６頁
【非特許文献２】ＵＮＩＴＹＹ  ＪＥＷＥＬＲＹ  ＳＥＲＶＩＣＥ発行の国内カタログ「Ｆｉｎｅ  Ｊｅｗｅｌｒｙ  Ｐｒｅｖｉｅｗニューヨーク宝飾のすべて１９８５年」第５０頁
【考案の開示】
【考案が解決しようとする課題】
【０００４】本考案は、上記した多数の真珠または真珠状物を一連に連結して成るネックレスと、該ネックレスを形成する真珠と密接に関連する真珠貝を模した装身具とを組合わせて、ネックレスの装飾性を高めると共に、これに芳香機能を付与して、良好な雰囲気を醸し出すことにより商品価値の高いネックレスを提供することを目的としたものである。
【課題を解決するための手段】
【０００５】本考案は、上記した目的を達成するために、多数の真珠または真珠状物を一連に連結して成るネックレス本体の両端部を、飾具を介して接続することにより環状に構成し、かつ前記飾具が、香剤の収納が可能であって、真珠貝を模した形状の容器から成ることを特徴としたものである。上記において、香剤が、芳香剤の小片またはガーゼ若しくは脱脂綿などの小片に香水を含滲させて成る。
【考案の効果】
【０００６】本考案は、上記したように、真珠または真珠状物を一連に接続して形成したネックレス本体と、これと密接不可分の関係にある真珠貝を模した飾具とを組合わせて、ネックレスの装飾性を高めると共に、飾具内に、芳香剤の小片或いはガーゼや脱脂綿などの小片に香水を含滲させて成る香剤を収納して、芳香機能を付与することにより、趣興に富んだ商品価値の高いネックレスを提供することができる。
【考案を実施するための最良の形態】
【０００７】以下図面にもとづいて、本考案の実施形態を詳述する。
図１は飾具を閉じた状態の要部の平面図、図２は飾具の中央拡大断面図、図３は飾具を開いた状態の要部の拡大平面図であって、１は多数の真珠または真珠状物１０を一連に連結して成るネックレス本体で、その両端部には、慣用の着脱可能な接続金具１１，１２が設けてあり、この接続金具１１，１２の接続により頚部にかけられるように環状に形成される。【０００８】２は、ネックレス本体１の両端部に着脱可能に接続される飾具であって、真珠貝を模した形状の容器２０から成り、この容器２０は、一方の側縁に、容器２０を左右方向で開閉するための蝶番２１が、また他方の側部には、容器２０を閉じた状態に保持する係止具２２がそれぞれ設けてあり、さらに、この容器２０は、その左右側縁に前記ネックレス本体１の両端部の接続金具１１，１２とそれぞれ接続可能な接続金具２３，２４が設けてある。【０００９】３は、前記飾具２内に収納される香剤を示しており、該香剤３として、芳香剤の小片またはガーゼや脱脂綿若しくは含水性の紙などの小片に香水を含滲させた香剤から成る。【００１０】しかして、使用に際しては、飾具２が香剤３を収納した状態で、従来と同様に飾具２が胸部付近に位置するようにネックレスを頚部に掛ける。
すると、ネックレスを形成する真珠または真珠状物と真珠貝を模した飾具とが、調和して装飾性を高めると共に、飾具から発生する香剤からの芳香により良好な雰囲気を醸し出すことができる。
また、飾具２を開閉することによって、所望の香材に適宜交換することができる。
【図面の簡単な説明】
【００１１】
【図１】  飾具を閉じた状態の要部の平面図
【図２】  飾具の中央拡大断面図
【図３】  飾具の開いた状態の部分拡大断面図
【符号の説明】
【００１２】１            ネックレス本体
２            飾具
３            香剤
１０          真珠
１１，１２    接続金具
２０          容器
２１          蝶番
２２          係止具
２３，２４    接続金具
【図１】
0003111172.tif 000003
【図２】
0003111172.tif 000004
【図３】
0003111172.tif 000005
(57)【要約】      （修正有）【課題】標的を不安定にすることにより、ボールが標的にあたるたびに盤が揺れて、その都度コントロールが求められるため面白さを倍加させる。【解決手段】複数のカップをもつ円盤の背面中心部に半球状の支柱を立てることを特徴とするボール入れ標的。【選択図】図１
0003111178.tif 000002
【実用新案登録請求の範囲】
【請求項１】
複数のカップをもつ円盤の背面中心部に、半球体の支柱を立てることを特徴とするボール入れの標的遊具。
【考案の詳細な説明】
【考案の詳細な説明】
【０００１】ボール入れの標的。
【技術分野】
【０００２】遊具に関するものである。
【背景技術】
【０００３】従来より輪投げの標的などがあった。
【考案が解決しようとする課題】
【０００４】従来の標的は、水平、または傾斜をつけるが安定的に設置されていた。
【課題を解決するための手段】
【０００５】標的を不安定にすることにより、ボールが標的にあたるたびに盤が揺れて、その都度コントロールが求められるため面白さが倍加する。
【考案を実施するための最良の形態】
【０００６】円盤（１）に１〜９の番号（３）付した９個の半球形カップ（２）を三段三列に配列し、背面中心部に半球形の支柱（４）を立てる。
【実施例】
【０００７】投げる位置を決め、一桁の数字を予告した後盤を回してからスタートする。【０００８】的中ボール三ヶ所の数字を加減乗除して下一桁の数字があらかじめ予告した一桁の数字になれば得点になるゲームで、投げる際予告した数字になるように計算しながら投げるゲームである。【０００９】又の遊び方として、三色のボールを投げ縦横斜めに直列に的中したとき、同一色、三色、混色と色の組み合わせで得点が決まるというゲームである。
【考案の効果】
【００１０】一本足標的は不安定なため、ボールが標的にあたるたびに盤が揺れてその都度コントロールが求められるので面白さが一段と加わる。
【００１１】ルールが簡単で、ゲーム感覚で算数能力が高められる。
【００１２】遊び方に幅があるので低年齢者層から高齢者層まで飽きずに楽しめる。
【００１３】頭を使い、歩行運動を伴うので高齢者の老化予防に役立つ。
【００１４】遊べる年齢層が広いため一家団欒、世代交流の遊具になる。
【図面の簡単な説明】
【００１５】
【図１】    円盤標的全体を示した斜視図である。
【図２】    円盤標的全体を示した側面視図である。
【符号の説明】
【００１６】１  円盤
２  カップ
３  番号
４  支柱
５  ボール
【図１】
0003111178.tif 000003
【図２】
0003111178.tif 000004
(57)【要約】      （修正有）【課題】調理する素材ごとにまな板を使い分けたい時に、１枚のまな板で確実に使い分けのできるまな板を提供する。【解決手段】色の違うまな板用のプラスチックを２枚貼り合わせて、うらおもて色違いのまな板を作る。これにより完全にうらおもての識別が可能になる。【選択図】図１
0003111177.tif 000002
【実用新案登録請求の範囲】
【請求項１】
うらおもての２面の色を違えたまな板
【考案の詳細な説明】
【技術分野】
【０００１】  本考案は、調理用まな板に関する。
【背景技術】
【０００２】  従来のまな板では衛生上、生鮮野菜、果物用と、肉魚用の２枚のまな板が必要であった。
もしくはまな板のうらおもてに印をつけて識別していた。
【考案の開示】
【考案が解決しようとする課題】
【０００３】  しかし、２枚のまな板を用意することは場所をとり、不経済である。
また、印をつけることは見た目も悪く、消えやすい。
【課題を解決するための手段】
【０００４】  そこで、見た目もよく、場所もとらない、うらおもてが色違いのまな板があれば、間違うことなく使い分けることが出来る。
【考案の効果】
【０００５】  よって、本考案の「うらおもて２色まな板」１枚で完全に２枚のまな板として使い分けることが出来、併せて衛生上の不安を取り除くことが出来る。
【考案を実施するための最良の形態】
【０００６】  本考案に係る「うらおもて２色まな板」１０は図１に示すように、うらおもての色の異なる２層のまな板から形成されている。色が異なることからうらおもての識別は容易であり、混用の恐れはない。
素材は成型が容易で見た目もきれいなプラスチックが望ましく、２枚の色違いのまな板用プラスチックを接着か圧着により製造する。
色調も敢えてよごれの目立つ淡い色調が望ましい。
【図面の簡単な説明】
【０００７】
【図１】  本考案に係る「うらおもて２色まな板」の図である。
【図２】  従来のまな板の図である。
【符号の説明】
【０００８】    １      「うらおもて２色まな板」おもて面
２      「うらおもて２色まな板」うら面
１０    「うらおもて２色まな板」
２０    従来のまな板
【図１】
0003111177.tif 000003
【図２】
0003111177.tif 000004
(57)【要約】      （修正有）【課題】傘を使用する際に簡易傘袋を固定させるストッパー付き脱着式傘紐を設け、環境改善と事故防止をするとともに、腰掛けた際の高さに合わせ自在に動かせる手持ち紐の提供。【解決手段】本考案は氏名記入を可能とした持ち手５の両端を４により金具３を設け、輪状１ａ及び１ｂのネジリを解消することで、簡易傘袋に入った傘の枝及び胴部を２により確実な固定が可能となり、袋が抜け落ちることなく転倒などの事故防止に役立つ。同様に、持ち手５に対しても違和感なく、腰掛けの高さに合わせた傘の持ち手としても役立つ。【選択図】図１
0003111179.tif 000002
【実用新案登録請求の範囲】
【請求項１】
紐の両側を輪状に設け、当該紐の両側に移動可能式ストッパーを設けることで、傘の枝に係脱着自在留としたところを特徴とするストッパー付き脱着式傘紐。
【考案の詳細な説明】
【技術分野】
【０００１】  本考案は、紐本体の両サイドに輪及ストッパーを設けた、傘に関するものである。
【背景技術】
【０００２】  傘をたたんで店や病院等の公共施設等に設置されている透明の簡易傘袋（ビニール製長袋）に入れて傘を持ち運びしていると、気づかぬうちに袋が抜け落ちてしまっていたり、電車の座席やホームのベンチなどに腰掛けた時、その高さや傘の全長により持ち手が握りにくくなっていた。
【考案の開示】
【考案が解決しようとする課題】
【０００３】  傘から抜け落ちた袋は、単にゴミ化するだけでなく足を取られた際、袋の性質上滑りやすく大変危険であり、傘を持ったまま座席やベンチなどに腰掛けたときの持ち手の握りにくさがあった。従って、袋留と持ち手を一本化することにより雨の日の安全面と状況に応じた持ち手の移動が可能になり、前述の欠点を解決しようとするものである。
【課題を解決するための手段】
【０００４】  本考案は、紐の両側を輪状にし、それぞれに移動式ストッパーを設けることにより、一方の輪で傘の大きさ（枝の太さ）に対応可能となり、もう他方の輪で簡易傘袋を留める事ができ、且つ、腰掛けたときの座席の高さと傘の全長に対応可能な輪状紐が移動可自在留となることにより問題点を解決している。
【考案の効果】
【０００５】  上述の様に、本考案のストッパー付き可移動型傘留紐は、紐本体の両側を輪状であることから脱着が可能であり、その両側に移動可能式ストッパーを設けることで、傘の枝の太さ・大きさ（紳士用・婦人用・子供用）等を問わず対応が可能となり、一方のストッパー付き輪は枝に着装し同様に他方の輪で簡易傘袋を留める事が可能であり、移動中に傘袋が抜け落ちることのゴミ化と足を取られて転倒する危険性を防止するのに役立ち、更に、移動可能型の性質上、傘を手にしたまま腰掛けた際に、その場の状況の位置に応じた持ち手としても役立つ。【０００６】  紐本体に付随している二つの輪を合わせて傘の枝に通し、一方の輪をストッパーで枝の太さに輪の大きさを合わせて留め、他方の輪を布張りの傘本体に下ろしストッパーで留めることで固定される。また、同様にして腰掛けた際の椅子の高さに応じた位置に、前述の二つの輪を移動させそれぞれを固定させることで持ち手としての使用が可能となる。
【実施例】
【０００７】  以下、添付図面に従って一実施例を説明する。１ａ及び１ｂは傘にフィットし易い平面的な紐であり、それぞれの両端を２の紐留に通し、その延長として３の留め具の頭上部に１ａ及び１ｂを通す穴を開け、その穴から抜けないよう内部で結び輪を完成させる。また、３を設けたことにより本考案傘紐の移動及び着脱から生ずるネジレを総て解消することが可能となり、３の先端と５を４のＳカンで留める。５の持ち手は、握った時の感触や手触りを好くするため、丸みを持った厚みと幅を持ち、その部位に他者との識別をするための氏名を記入することも出来る。両方の輪に傘本体を通し１ａは柄の部分、１ｂは胴部分を２の紐留めでしっかりと固定することが可能であり、１ａ及び１ｂを移動させることにより、持ち手としての使用も可能となる。【０００８】  本考案の一実施例は、上述の如き構成からなるものであるから、１ａ及び１ｂの両輪を通した簡易傘袋に入った傘を２の紐留めにより、枝及び本体胴部それぞれに２を固定することで簡易傘袋が抜け落ちることなく留められ、更に、腰掛の高さに応じて１ａ及び１ｂを移動させることで、持ち手としての使用も可能となる。また、５の部位に他者との識別をするための氏名の記入も可能である。そして、本考案の性質上脱着可能な事はいうまでもない。
【図面の簡単な説明】
【０００９】
【図１】本考案のストッパー付き脱着式傘紐の一実施例を示す正面図である。
【符号の説明】
【００１０】  １ａ  平面輪状紐
１ｂ  平面輪状紐
２    紐留め
３    留め具
４    Ｓカン
５    厚手布
【図１】
0003111179.tif 000003
(57)【要約】      （修正有）【課題】眼鏡のテンプル及びヨロイに、整形してプレート状にしたものを簡単に取り付け取りはずしができ、プレートの色を変えたり、装飾を施すことにより、眼鏡全体のデザイン性、実用性、更には財産価値をも高め、構造が簡単で故障することがなく、プレートを装着することにより、強度も増すテンプル及びヨロイを提供する。【解決手段】テンプル３、４、５に囲まれた空間にさまざまな素材のプレート１と同形のプレートを作り、バネ材６と止め具７によって固定している。【選択図】図２
0003111230.tif 000002
【実用新案登録請求の範囲】
【請求項１】
テンプル９に設けた３、４、５の間にプレート１を差し込み、６のバネ材と７の止め具によりプレート１を固定することを特徴とするプレート取替式 眼鏡テンプル及びヨロイ。
【請求項２】
テンプル28,29及びヨロイ25においてピンやネジ等21,22,26を支点に回転させた止め具23,24,27により、プレート１を固定することを特徴とするプレート取替式 眼鏡テンプル及びヨロイ。
【請求項３】
テンプル９に取り付けたバネ材６を湾曲させることにより１のプレートを着脱可能にしたことを特徴とするプレート取替式 眼鏡テンプル。
【請求項４】
テンプル28,29及びヨロイ25においてピンやネジ等21,22,26を支点にして止め具23,24,27を回転させることにより、プレート１を着脱可能にしたことを特徴とするプレート取替式 眼鏡テンプル及びヨロイ。
【請求項５】
テンプル９に取り付けたバネ材６を湾曲させることにより１のプレートを着脱可能にしたことを特徴とする眼鏡テンプルにおいて、１のプレートが合成樹脂、貴金属、木材などの整形可能な部材からなることを特徴とするプレート取替式 眼鏡テンプル。
【請求項６】
テンプル28,29及びヨロイ25に取り付けた止め具23,24,27を回転させることにより、１のプレートを着脱可能にしたことを特徴とするプレート取替式 眼鏡テンプル及びヨロイにおいて、１のプレートが合成樹脂、貴金属、竹材などの整形可能な部材からなることを特徴とするプレート取替式 眼鏡テンプル及びヨロイ。
【考案の詳細な説明】
【技術分野】
【０００１】
本考案は、材質の違った一定規格のプレートを、テンプル及びヨロイの一部を開きプレート状のものを取り替えることによって、デザインを楽しんだり、実用性を高めることができる、プレート取替式 眼鏡テンプル及びヨロイに関するものである。
【背景技術】
【０００２】
最近の眼鏡では、ファッション性を出すため、さまざまなデザインと、カラフルな装飾により商品開発を行ってきた。特にテンプル及びヨロイ部には、多様な装飾が可能なため、多くの変化に富んだテンプルが作られてきた。
例えば、七宝を飾ったり、皮を巻いたり、スリーブ状の装飾体をはめ込んだりする方法が  考えられてきた。
【０００３】
ところが、テンプル及びヨロイ部に直接刻設したり、リベットでテンプル飾りを固定したりする方法では飾りを取り替えることが不可能となり、テンプル及びヨロイ部に直接固定できないものは、長時間の使用によりズレや回転を生じることがある。
【考案の開示】
【考案が解決しようとする課題】
【０００４】
本考案は、前述の問題を解消するため、一定規格に整形した様々なプレートを作り、誰もが簡単に取り付け取りはずしができるよう、テンプルの一部に開閉部を作ることを技術的課題とした。
【課題を解決するための手段】
【０００５】
本考案者が上記課題を解決するために採用した手段を添付図面を参照して説明すれば、次のとおりである。
【０００６】
すなわち本考案は、周囲に２のように切込みを入れたプレート１を３、４、５の内側に差し込むことによって１を固定し、その上からロー付により８に固定されたバネ材６を１の上部に合わせ、７の止め具によって３に固定する。この際、３、４、５の厚みと２の切り込みの幅を同一とする。６をバネ材にすることによりスムーズな開閉を可能とした。
同様にテンプル28,29及びヨロイ25において、止め具23,24,27を支点21,22,26を中心に回転させ、本体にプレートを固定した。
【考案の効果】
【０００７】
本考案は、上記変更実施例以外にも、プレート１に住所、氏名等を記載したものを取り付けることにより、紛失防止等に効果を上げ、またプレート１に様々な色や絵、模様等を記載することにより、デザイン性やファッション性を高め、そしてまたプレート１の素材の価値を宝飾等により高めることにより眼鏡全体の財産価値を高めるものである。
【実施例】
【０００８】
７の止め具を上に持ち上げ６のバネ材を８の支点に９０°以上に湾曲させる。それにより１のプレートを上向きにスムーズに取りはずすことができる。又、取り替えたプレートを同様に７の止め具を持ち上げ、１のプレートを３と５の間に差し込み６のバネ材を１野上部に合わせ、７の止め具を３に合わせ、下方に軽く押すことによって、固定するものである。これにより、上下・左右方向の力に対しての強度も増すものである。
また、テンプル28,29及びヨロイ25において、支点21,22,26を中心に止め具23,24,27を回転させ、プレートを固定することにより上下左右からの脱着も可能である。
【０００９】
本考案の変更実施例として９のテンプルを１０のテンプルのように形状を変えても３、４、５の内側の空間と、１１、１２、１３の内側の空間を同じにすることにより、１のプレートを他のテンプルに脱着することも可能となる。
また、図６においてテンプル30にアプローチ31をつけたり、プレート33にアプローチ32をつけることにより、より簡単にプレート33をテンプル30に脱着することも可能となる。
【図面の簡単な説明】
【００１０】
【図１】本考案のツルを備えたメガネフレーム。
【図２】本考案の実施例の部分拡大、分解組立図。
【図３】変更実施例におけるメガネフレーム。
【図４】さまざまなプレート。
【図５】本考案のテンプル及びヨロイ。
【図６】変更実施例におけるテンプル。
【符号の説明】
【００１１】
１  プレート
２  プレートの切り込み
３  テンプルバネ材接合部
４  テンプルプレート底当て部
５  テンプルプレート
６  バネ材
７  止め具
８  バネ材連結部
９  テンプル本体
１０  変更実施例のテンプル本体
１１  変更実施例のテンプルのバネ材接合部
１２  変更実施例のテンプルのプレート底当て部
１３  変更実施例のテンプルのプレート支え部
１４  セル板
１５  プラスチック板
１６  金板
１７  白金板
１８  竹板
１９  合金板
２０  その他の整形できる板
２１  ピン
２２  ネジ
２３  止め具
２４  止め具
２５  ヨロイ
２６  ピン
２７  止め具
２８  テンプル本体
２９  テンプル本体
３０  テンプル本体
３１  テンプルの断面
３２  スリッド入プレート
３３  プレート
【図１】
0003111230.tif 000003
【図２】
0003111230.tif 000004
【図３】
0003111230.tif 000005
【図４】
0003111230.tif 000006
【図５】
0003111230.tif 000007
【図６】
0003111230.tif 000008
(57)【要約】【課題】使用者が横臥する使用時にはフトンの状態の高さとなり、介護作業時にはベッドの状態の高さとなることが望ましい。この考案はかかる要請に応えるベッドユニットを提供する。【解決手段】ベッド積載用の積載台と基台とが１組以上の電動式パントグラフ機構により上下に連結されており、積載台にはヘッドボードとフットボードとサイドレールとが着脱可能に組み付けられている。パントグラフ機構を適宜作動させることにより、使用時にはフトンの状態の高さとなり、介護作業時にはベッドの状態の高さとなる。したがってフトンを好む使用者の要望にも応え、作業上の疲労を避けたいという介護者の要望にも応えることができる。【選択図】図１
0003111226.tif 000002
【実用新案登録請求の範囲】
【請求項１】
ベッド積載用の積載台（３）と基台（１）とが１組以上の電動式パントグラフ機構（５）により上下に連結されており、積載台にはヘッドボード（９）とフットボード（１１）とサイドレール（１３）とが着脱可能に組み付けられていることを特徴とする昇降自在ベッドユニット。
【考案の詳細な説明】
【技術分野】
【０００１】
この考案は昇降自在ベッドユニットに関するものであり、特に介護を必要とする使用者のために必要に応じて自由に高さを変更した状態で使用できるベッドユニットに関するものである。
【背景技術】
【０００２】
自宅において常時ベッドを使用する使用者は、特に高齢者の場合、病院生活を連想させる通常構造のベッドにはストレスを感じ、フトンの方を好む傾向がある。
【０００３】
また使用者が介護を必要とする状態の場合には、ベッドからひとりで立とうとしたときに、床からの高さがあるが故に、転倒して骨折などをすることがある。
【特許文献１】特願２００２−３４３２７０
【考案の開示】
【考案が解決しようとする課題】
【０００４】
しかし床上に敷いたマットレス上に載せたフトンを使用した場合には、その位置が低いが故に、介護作業がやり難く、腰を曲げることに伴う負担が大きいという問題がある。
【０００５】
したがって使用者が横臥する使用時にはフトンの状態の高さとなり、介護作業時にはベッドの状態の高さとなることが望ましい。この考案はかかる要請に応えるベッドユニットを提供することを目的とするものである。
【課題を解決するための手段】
【０００６】
このためこの考案のベッドユニットにあっては、ベッド積載用の積載台と基台とが１組以上の電動式パントグラフ機構により上下に連結されており、積載台にはヘッドボードとフットボードとサイドレールとが着脱可能に組み付けられていることを要旨とするものである。
【考案の効果】
【０００７】
パントグラフ機構を適宜作動させることにより、使用時にはフトンの状態の高さとなり、介護作業時にはベッドの状態の高さとなる。したがってフトンを好む使用者の要望にも応え、作業上の疲労を避けたいという介護者の要望にも応えることができる。
【実施例１】
【０００８】
図１にこの考案のベッドユニットの一実施例をベッドの高さでの使用状態で示す。
【０００９】
積載台３にはヘッドボード９とフットボード１１とサイドレール１３とが着脱可能に組み付けられている。また積載台３と下側の基台１との間には１組以上の電動式パントグラフ機構５が介設されている。
【００１０】
パントグラフ機構５としては上記した特願２００２−３４３２７０に開示された構造のものを用いるが、他の構造のものであってもよい。
【００１１】
簡単に述べると該パントグラフ機構５においては、上下左右のリンクが各端部において軸承部を介して全体として菱形に連結されている。上側の軸承部（リンクの末端）は積載台３に取り付けられ、下の軸承部（リンクの末端）は基台１に取り付けられている。
【００１２】
このパントグラフ機構５の駆動は同じく特願２００２−３４３２７０に開示された構造の駆動機構（図示せず）を用いるが、他の構造のものであってもよい。該駆動機構は可逆モーターを含んでおり、これに電気的に接続された携帯制御パネルへの操作により、正転および逆転に起動・停止されるものである。
【００１３】
この考案のベッドユニットは１４〜７０ｃｍ以上の範囲に亙って高さの調節ができる。自宅でフトン状態で使用する場合には、パントグラフ機構５を閉じて積載台３を下降させて１４ｃｍくらいの高さとする。この際にはヘッドボード、フットボードおよびサイドレールを積載台３から外すとよい。
【００１４】
介護などの作業の場合には、パントグラフ機構を開いて積載台３を上昇させて７０ｃｍ以上の高さとすれば、介護者は腰を曲げなくても作業ができ、負担が軽減される。
【産業上の利用可能性】
【００１５】
最近一般的になってきた高齢者の介護サービスなどにおいて広く採用できる。
【図面の簡単な説明】
【００１６】
【図１】この考案のベッドユニットの一実施例を示す斜視図である。
【符号の説明】
【００１７】
１：  基台
３：  積載台
５：  パントグラフ機構
【図１】
0003111226.tif 000003
(57)【要約】【課題】使用者が単独で使用することも、複数人が横に並んだ状態で同時に使用することもできるようにした足踏み健康器を提供する。【解決手段】断面略半円形状をなすかまぼこ形本体１の上面に多数の突起３を設けてなる足踏み健康器において、該かまぼこ形本体１の各端面５に他のかまぼこ形本体１との連結手段７を備えさせたことを特徴とする足踏み健康器。かまぼこ形本体１の各端面５に備えさせる連結手段７は、かまぼこ形本体１と他のかまぼこ形本体１とを連結し得るものであれば如何なるものであってもよいが、一例として、一対の面ファスナー７ａ、７ｂを用いる。【選択図】図１
0003111264.tif 000002
【実用新案登録請求の範囲】
【請求項１】
断面略半円形状をなすかまぼこ形本体の上面に多数の突起を設けてなる足踏み健康器において、
該かまぼこ形本体の各端面に他のかまぼこ形本体との連結手段を備えさせたことを特徴とする足踏み健康器。
【考案の詳細な説明】
【技術分野】
【０００１】
本考案は、足踏み健康器に関するものであり、足の裏のツボを刺激することにより、血行を促進させ、健康を増進させるようにした足踏み健康器に係るものである。
【背景技術】
【０００２】
足の裏のツボを刺激すると、肝臓、腎臓、膵臓、脾臓、肺臓等の臓器に好ましい効果があるとしばしば言われており、そのために、実開平４−５８２４５号公報に示すように、所定の長さの青竹を長さ方向に切断してなる青竹踏み具や、断面略半円形状をなすかまぼこ形本体の上面に突起を設けてなる足踏み健康器が既に使用されている。
【特許文献１】実開平４−５８２４５号公報
【考案の開示】
【考案が解決しようとする課題】
【０００３】
上記従来の青竹踏み具や足踏み健康器は、一応の効果を有するものであるが、これら従来の青竹踏み具や足踏み健康器は、使用者が単独で使用するようにしたものであり、親子、家族、友人等の親しい関係にある複数人が横に並んだ状態で同時に使用することを意図したものではない。
【０００４】
このような状況に鑑み、本考案は、使用者が単独で使用することも、複数人が横に並んだ状態で同時に使用することもできるようにした足踏み健康器を提供しようとしてなされたものである。
【課題を解決するための手段】
【０００５】
上記課題を解決するために、本考案は、下記の足踏み健康器を提供する。
【０００６】
断面略半円形状をなすかまぼこ形本体の上面に多数の突起を設けてなる足踏み健康器において、
該かまぼこ形本体の各端面に他のかまぼこ形本体との連結手段を備えさせたことを特徴とする足踏み健康器。
【０００７】
［考案の作用］
本考案による足踏み健康器は、他の足踏み健康器と連結することなく単独で使用することも可能であるが、かまぼこ形本体の各端面に備えさせた連結手段により他の単数又は複数の足踏み健康器と一列に分離自在に連結した状態で使用することも可能である。
【考案の効果】
【０００８】
本考案による足踏み健康器は、足の裏のツボを刺激することにより、血行を促進させ、健康を増進させるという、足踏み健康器本来の効果を発揮する他、更に、次のような効果を発揮する。
【０００９】
本考案による足踏み健康器は、かまぼこ形本体の各端面に備えさせた連結手段により他の単数又は複数の足踏み健康器と一列に連結したときには、これらの足踏み健康器を複数人が横に並んだ状態で同時に使用することもできる。
【００１０】
即ち、例えば、親子、家族、友人等の親しい関係にある複数人が横一列に並んだ状態で、スキンシップ、会話等を楽しみながら、これらの足踏み健康器を同時に使用することができる。
【考案を実施するための最良の形態】
【００１１】
符号１に示すものは、断面略半円形状をなすかまぼこ形本体である。かまぼこ形本体１の上面には多数の突起３、３・・・を設ける。
【００１２】
突起３、３・・・は、足の裏のツボを好ましく刺激し得るものであれば、如何なる形状を備えたものであってもよい。
【００１３】
かまぼこ形本体１と突起３、３・・・とは、一例として、合成樹脂により一体的に形成する。
【００１４】
しかして、本考案においては、かまぼこ形本体１の各端面５に他のかまぼこ形本体１との連結手段７を備えさせる。
【００１５】
かまぼこ形本体１の各端面５に備えさせる連結手段７は、かまぼこ形本体１と他のかまぼこ形本体１とを連結し得るものであれば如何なるものであってもよい。
【００１６】
図２に示す事例においては、連結手段７として、一対の面ファスナー７ａ、７ｂを用いている。
【００１７】
この事例においては、一つのかまぼこ形本体１の端面５に備えさせた面ファスナー７ａと他のかまぼこ形本体１の端面５に備えさせた面ファスナー７ｂとを相互に係止させることにより、当該一つのかまぼこ形本体１と当該他のかまぼこ形本体１とを分離自在に連結することができる。このようにして、必要数の足踏み健康器を一列に連結することができる。
【００１８】
また、連結手段７として、かまぼこ形本体１の各端面５に相対応する凹部と凸部（図示せず。）とを形成し、これらの凹部と凸部とを嵌脱自在となしても差し支えない。
【００１９】
この場合には、一つのかまぼこ形本体１の端面５に形成された凹部に他のかまぼこ形本体１の端面５に形成された凸部を嵌合することにより、当該一つのかまぼこ形本体１と当該他のかまぼこ形本体１とを分離自在に連結することができる。このようにして、必要数の足踏み健康器を一列に連結することができる。
【図面の簡単な説明】
【００２０】
【図１】本考案による足踏み健康器を二個連結させた状態を示す斜視図である。
【図２】足踏み健康器の連結手段の一例を示す正面図である。
【図３】足踏み健康器の断面図である。
【符号の説明】
【００２１】
１  かまぼこ形本体
３  突起
５  端面
７  連結手段
７ａ  面ファスナー
７ｂ  面ファスナー
【図１】
0003111264.tif 000003
【図２】
0003111264.tif 000004
【図３】
0003111264.tif 000005
(57)【要約】【課題】様々な物品が収納された密封用チャック機能の付いた袋を開封する場合ハサミや刃物を使用するか予め切断位置を示す切り込みを手でちぎって開封していた。これらの方法では、袋の切り口の前面と背面とが同一の形状のまま密着状態になり袋の開封が困難であった。【解決手段】開封した袋の中に溶着あるいは接着されている密封用チャックの前面と背面との間に指先等を挿入できる空間を設けることによって、袋の開封が簡単にできるようになる保存用袋の開封機構。【選択図】図５
0003111269.tif 000002
【実用新案登録請求の範囲】
【請求項１】
保存用袋の内側に、加圧密封機能を有する密封用チャックが溶着ないし接着されて成る袋において、密封用チャックの物品の出し入れする側の上端部の前面と背面との間に空間が生じるように形成された、保存用袋の開封機構。
【考案の詳細な説明】
【技術分野】
【０００１】
本考案はあらゆる種類の物の保存用袋の開封機構に関するものである。
【背景技術】
【０００２】
様々な物品が収納された保存用袋の開封に際し、通常はハサミや刃物を使用して切断したり、予め切断位置を示す切り込みが付された位置から手でちぎって開封していた。
【０００３】
しかし、この密封用チャック機能の付いた袋の場合、従来の切断方法では切り口の前面と背面とが密着状態になり、かつ切り口の形状も同一になる為、袋を開く際に指先等を挿入する隙間がほとんど無く開封が困難であった。
【０００４】
この改善策として、袋を開封する為の切り込みを手でちぎった時に袋の切り口の前面と背面とに差異が生じるような機構を付加する方法がある。図1は製袋時に溶着ないし接着される密封用チャックの上端部を波形1に形成し、図2で示したように波形が交互になるよう、左右をずらして密着させ図3のように溶着あるいは接着して、袋全体を封じる方法。このことによって切り込み5から裂かれた保存用袋は従来通り水平な切り口となるが、袋の中から波形密封用チャックが現れる。しかしながらこの方法はチャックの上端部を波形に形成するのが煩雑になる。
【特許文献１】特開２００３−１０４３９４号広報
【考案の開示】
【考案が解決しようとする課題】
【０００５】
解決しようとする問題点は、従来の密封用チャック付袋を開封する時、切断位置を示す切り込みを手でちぎって開封しても、袋の切り口の前面と背面とが同一形状のまま密着状態になり、指先等を挿入する隙間がほとんどできない点である。
【課題を解決するための手段】
【０００６】
本考案は袋を開封するための切り込みを手でちぎって開封し、中から現れる密封用チャックの前面と背面との間に、指先等を挿入できる空間を設けたことを特徴とする。
【考案の効果】
【０００７】
本考案の密封用チャック付袋を開封すれば、密封用チャックの３と４との間に適度な空間が設けられてあり、指先等の挿入や指先でのつまみ動作が容易になり、袋の開封が簡単にできるようになる。
【考案を実施するための最良の形態】
【０００８】
あらゆる密封用チャック付袋を開封する時、お年寄りも子供も一番わかりやすく袋の隙間に指がかけられて、動作が自然にできることを目的とした。
【実施例１】
【０００９】
図4は本考案の密封用チャックの、物品の出し入れする側のいずれかの上端部4に加圧又は加熱をしフリル状に成形をしたものである。
【００１０】
図5はこのようにして成形された密封用チャックを溶着あるいは接着して保存用袋として製袋したものである。
【００１１】
これらの密封用チャック付袋を、切り込み5で引き裂けば保存用袋は従来通り水平な切り口となるが、袋の中から前面又は背面のいずれか一方をフリル状に成形された密封用チャックが現れる。
【００１２】
また図6その他の実施例２を説明すると、密封用チャックの上端部３を外側に反るように加圧又は加熱し成形したものである。これを溶着あるいは接着して保存用袋とする方法。
【産業上の利用可能性】
【００１３】
従来の保存用袋での開封は指の掛かる隙間もなく、なかなか開けづらくイライラさせられた。密封用チャックごと保存する方法は特に湿気や匂いうつりを嫌う、のり、お茶、ふりかけ、食品、医療品など酸化防止のうえでも効果的である。
【図面の簡単な説明】
【００１４】
【図１】密封用チャックの上端部を波形に形成したもの。
【図２】波形が交互になるようにチャックの３、４をずらしたもの。
【図３】図２のチャックを袋に取り付け製袋したもの。
【図４】密封用チャック４を加圧又は加熱しフリル状にしたもの。          （実施例１）
【図５】密封用チャック図４を製袋したもの。
【図６】密封用チャック３を加圧又は加熱し外側に反らせたもの。          （実施例２）
【符号の説明】
【００１５】
１波形密封用チャック
２切り落とし部分
３チャックの凸部
４チャックの凹部
５切り込み
【図１】
0003111269.tif 000003
【図２】
0003111269.tif 000004
【図３】
0003111269.tif 000005
【図４】
0003111269.tif 000006
【図５】
0003111269.tif 000007
【図６】
0003111269.tif 000008
(57)【要約】【課題】  鏡を設置することによって、補助機能を加え、携帯する物を減らす傘ハンドル構造を提供する。【解決手段】  ハンドル本体１上に鏡２を設置する。具体的にハンドル本体１は、円柱形、方形もしくは六角形である。鏡２は、ハンドル本体１の底部もしくは側面に設置される。そして更に、鏡２を保護するための保護蓋３が鏡の上に設置されており、当該保護蓋３は扉式もしくは引き戸式によってハンドル本体に設置される。【選択図】    図２
0003111231.tif 000002
【実用新案登録請求の範囲】
【請求項１】
ハンドル本体上に鏡を設置することを特徴とする傘ハンドル構造。
【請求項２】
前記ハンドル本体は、円柱形、方形もしくは六角形であり、
前記鏡はハンドル本体の底部もしくは側面に設置され、更に鏡を保護するための保護蓋が鏡の上に設置され、
前記保護蓋は扉式もしくは引き戸式によってハンドル本体に設置されることを特徴とする請求項１に記載の傘ハンドル構造。
【請求項３】
前記保護蓋は、透明材で形成され、ハンドル本体に固定されることを特徴とする請求項２に記載の傘ハンドル構造。
【考案の詳細な説明】
【技術分野】
【０００１】
本考案は、傘に関するもので、特にハンドル部に関わるものである。
【背景技術】
【０００２】
傘は、外出時によく携帯するもののひとつである。それは当日の天気に関わりない。傘は雨を避け、また日よけにもなる。傘を使用する頻度は、女性のほうが多い。女性は美しさを重視するので、カバンには手鏡を携帯し、更に外出先で化粧直しをするため、化粧バックも携帯していることが多い。外出先で携帯した手鏡を使用する時、先ず傘をどこか適当な場所に置いて、それから手鏡を取り出して使用する。
【考案の開示】
【考案が解決しようとする課題】
【０００３】
解決しようとする課題は、傘に鏡を設置することによって、補助機能を加え、携帯する物を減らす点にある。
【課題を解決するための手段】
【０００４】
上記目的を達成するため、本考案に係る傘ハンドル構造は、ハンドル本体が円柱形、方形もしくは六角形で、鏡はハンドル本体の底部もしくは側面に設置する。更に鏡を保護するための保護蓋を鏡の上に設置するもので、この保護蓋は扉式もしくは引き戸式によってハンドル本体に設置されることを最も主要な特徴とする。
本考案の傘ハンドル構造は、傘を使用しながら、鏡が使え、且つ携帯物品を減らせるという利点がある。
【考案を実施するための最良の形態】
【０００５】
（第一実施例）
図１、２に示すとおり、本考案の第一実施例による傘ハンドル本体１の底部には鏡２が設置される。同時にハンドル本体１の底部には鏡２を保護するための保護蓋３が設置され、保護蓋３の一端は、ハンドル本体１に枢設される。保護蓋３の別側には、ハンドル本体１に掛合するための掛合凸３１が成形される。鏡２を使用する時、保護蓋３をハンドル本体１上から開き、鏡を使用する。
【０００６】
（第二実施例）
図３に示すとおり、本考案の第二実施例による傘ハンドル本体１の底部の保護蓋３には、透明のアクリル材を使用し、ハンドル本体１上に直接固定する。透明であるため、使用時に鏡２の使用機能が妨げられることがない。
【０００７】
（第三実施例）
図４に示すとおり、本考案の第三実施例による傘ハンドル本体１を正方形もしくは六角形に成形し(図では六角形を例としている)、鏡２をハンドル本体１の側面に設置する。同様にハンドル本体１の側面に鏡２を保護するための保護蓋３を設置し、保護蓋３は引き戸式でハンドル本体１に設置される。引き戸式保護蓋３によって、傘をさしたまま鏡２を使用することができる。
【０００８】
（第四実施例）
図５に示すとおり、本考案の第四実施例による傘ハンドル本体１に設置される保護蓋３は、掛合式でもよい。保護蓋３の一側面をハンドル本体１に枢設し、掛合凸３１で締める。使用時には保護蓋３を開けて鏡２を使用する。
【０００９】
（第五実施例）
図６に示すとおり、本考案の第五実施例による傘ハンドル本体１の側面の保護蓋３に第二実施例と同じく透明のアクリル材を使用する。保護蓋３をハンドル本体１に直接固定して、鏡２を使用する。鏡２は透明の保護蓋３を通して使用する。
【図面の簡単な説明】
【００１０】
【図１】本考案の第一実施例による傘ハンドル構造を示す立体指示図である。
【図２】本考案の第一実施例による傘ハンドル構造の使用指示図である。
【図３】本考案の第二実施例による傘ハンドル構造の使用指示図である。
【図４】本考案の第三実施例による傘ハンドル構造の使用指示図である。
【図５】本考案の第四実施例による傘ハンドル構造の使用指示図である。
【図６】本考案の第五実施例による傘ハンドル構造の使用指示図である。
【符号の説明】
【００１１】
１  ハンドル本体、２  鏡、３  保護蓋、３１  掛合凸
【図１】
0003111231.tif 000003
【図２】
0003111231.tif 000004
【図３】
0003111231.tif 000005
【図４】
0003111231.tif 000006
【図５】
0003111231.tif 000007
【図６】
0003111231.tif 000008